【手続補正書】
【提出日】平成23年11月9日(2011.11.9)
【手続補正１】
【補正対象書類名】明細書
【補正対象項目名】０００３
【補正方法】変更
【補正の内容】
【０００３】
差動アナログ映像信号は、高周波変調するよりもベースバンドのまま伝送するほうがより広い帯域で伝送可能である。ただし、上記長距離伝送線路や伝送ドライブ回路の周波数応答特性の影響があるので、周波数応答特性の補正回路を用いて補正パラメータに基づく調整が必要である。また、ＲＧＢ３原色の信号のように、複数の信号を伝送する線路の伝播遅延量のずれも無視できなくなるので、上記伝播遅延量の補正回路を用いて補正パラメータに基づく調整が必要である。
【手続補正２】
【補正対象書類名】明細書
【補正対象項目名】０００４
【補正方法】変更
【補正の内容】
【０００４】
なお、周波数ごとの伝播遅延やドライブ回路の線形特性レベルごとのひずみも無視できない画質であれば、それぞれの補正回路を厳密に形成して付加する必要があるが、回路が高価になる。このため、本明細書においては、上記の伝播遅延補正の調整量で画像の劣化を吸収することによって許容されるレベルの表示装置に適用する技術として説明する。
【手続補正３】
【補正対象書類名】明細書
【補正対象項目名】０００７
【補正方法】変更
【補正の内容】
【０００７】
【特許文献１】特開２００６−３０４２１９号公報（段落［００１８］〜［００５６］、図１）
【特許文献２】米国特許出願公開第２００６／０１１９５９４号明細書（段落［０００２］〜［０１０６］、図１）
【特許文献３】米国特許出願公開第２００８／０１８６４０７号明細書（段落［００１６］〜［００５６］、図４〜図６）
【手続補正４】
【補正対象書類名】明細書
【補正対象項目名】００１２
【補正方法】変更
【補正の内容】
【００１２】
また、特許文献２，特許文献３等で開示された従来の表示装置は、分配器が表示装置の外部に受信器から独立して設けられた構成であったため、複数の長距離伝送信号線としての外部配線が必要であり、ケーブルの配線作業量に伴う作業コストが掛かるという問題点があった。
【手続補正５】
【補正対象書類名】明細書
【補正対象項目名】００３１
【補正方法】変更
【補正の内容】
【００３１】
ＭＣＵ１２０はシステム制御信号線ＬＳ１１を介して受信器１０と接続されており、表示制御バスＢＤ１０を介して表示映像処理回路１１７と接続され、リモコン制御線ＬＲ１０を介してリモコン受信器１１９と接続される。リモコン受信器１１９はリモコン１１８からの信号を受信し、リモコン制御線ＬＲ１０を介してリモコン受信信号をＭＣＵ１２０に伝達する。ＭＣＵ１２０は表示装置１１５の各構成要素（表示映像処理回路１１７等）を制御するメイン制御装置として機能する。なお、表示制御バスＢＤ１０はＩ２Ｃ形式等の表示制御信号線で構成される。
【手続補正６】
【補正対象書類名】明細書
【補正対象項目名】００３２
【補正方法】変更
【補正の内容】
【００３２】
表示パネル１１６は照明を備えた２次元液晶光学バルブ型表示デバイスに代表される表示パネルであり、表示映像処理回路１１７は表示パネル１６の画素数と走査方式に合わせて、アナログ映像信号線ＬＡ１１を介して得られる不平衡アナログ映像信号をリサイズやスルーレートに代表されるスケール変換処理する。この際、表示映像処理回路１１７内の設定状況描画手段（ＯＳＤ（On Screen Display））１２１は、リモコン１１８で操作された内容（リモコン受信信号）に基づきＭＣＵ１９が設定し描画した内容を表示制御バスＢＤ１０を介して取得し、この描画内容を当該不平衡アナログ映像信号で規定される映像に重畳表示する。なお、表示映像処理回路１１７は一般にスケーラと呼ばれる。
【手続補正７】
【補正対象書類名】明細書
【補正対象項目名】００４４
【補正方法】変更
【補正の内容】
【００４４】
リモコン受信器１９はリモコン１８からの信号を受信し、リモコン制御線ＬＲ１を介してリモコン受信信号をＭＣＵ２０に伝達する。ＭＣＵ２０は表示装置３０の各構成要素（表示映像処理回路１１７等）を制御するメイン制御装置として機能する。なお、表示制御バスＢＤ１はＩ２Ｃ形式等の表示制御信号線で構成される。
【手続補正８】
【補正対象書類名】明細書
【補正対象項目名】００４５
【補正方法】変更
【補正の内容】
【００４５】
表示パネル１６は照明を備えた２次元液晶光学バルブ型表示デバイスに代表される表示パネルであり、表示映像処理回路１７は表示パネル１６の画素数と走査方式に併せて、受信器３１よりアナログ映像信号線ＬＡ２を介して内部的に得られる不平衡アナログ映像信号をリサイズやスルーレートに代表されるスケール変換処理する。この際、表示映像処理回路１７内の設定状況描画手段（ＯＳＤ）２１は、リモコン１８で操作された内容（リモコン受信信号）に基づきＭＣＵ２０が設定し描画した内容を表示制御バスＢＤ１を介して取得し、この描画内容を当該不平衡アナログ映像信号により規定される映像に重畳表示する。なお、表示映像処理回路１７は一般にスケーラと呼ばれる。
【手続補正９】
【補正対象書類名】明細書
【補正対象項目名】００５４
【補正方法】変更
【補正の内容】
【００５４】
このように、受信器３１を表示装置３０に内蔵したことによってＭＣＵ２０から表示制御バスＢＤ１を通じて、周波数応答特性補正器１１及び遅延補正器１２用の上記第１及び第２の補正パラメータを直接設定して、補正処理が施されたベースバンドの不平衡アナログ映像信号をアナログ映像信号線ＬＡ２上に出力することができる。
【手続補正１０】
【補正対象書類名】明細書
【補正対象項目名】００５６
【補正方法】変更
【補正の内容】
【００５６】
また、受信器３１から制御信号がシステム制御信号線ＬＳ２を介してＭＣＵ２０に入力し、ＭＣＵ２０からシステム制御信号線ＬＳ３及びＬＳ４を介して制御信号が送信器３４及びシステム制御信号出力回路４１に適宜分配される。
【手続補正１１】
【補正対象書類名】明細書
【補正対象項目名】００５９
【補正方法】変更
【補正の内容】
【００５９】
実施の形態１では、送信器３４、映像出力回路３６、及びシステム制御出力回路４１とが表示装置３０内部に設けられているため、送信器３４、映像出力回路３６及びシステム制御出力回路４１を表示制御バスＢＤ１相当のバスに接続してＭＣＵ２０の制御下で送信器３４及び各回路３６，４１の電源制御を行って省電力化を図ることができる。
【手続補正１２】
【補正対象書類名】明細書
【補正対象項目名】００６３
【補正方法】変更
【補正の内容】
【００６３】
実施の形態１では、送信器３４、映像出力回路３６、及び表示映像処理回路１７を受信器３１から得られる不平衡アナログ映像信号をアナログ映像信号線ＬＡ２を介して入力するように構成したが、受信器３１の出力と送信器３４及び各回路３６，１７との間に映像切り替え器（図示せず）を設ける対応が考えられる。すなわち、他の映像入力端子（図示せず）からの入力映像信号と、受信器３１からの不平衡アナログ映像信号とを映像切り替え器が受け、ＭＣＵ２０からの表示制御バスＢＤ１で適宜切り替えて、送信器３４及び各回路３６，１７に出力するように構成してもよい。なお、上記映像入力端子の切り替えとシステム制御信号線ＬＳ２〜ＬＳ４を介したシステム制御信号の切り替えとの同時性は、問わない。
【手続補正１３】
【補正対象書類名】明細書
【補正対象項目名】００６９
【補正方法】変更
【補正の内容】
【００６９】
また、実施の形態１の構成の場合は、リモコン１８の操作に応じてＭＣＵ２０は、ホストコンピュータ３を介さずに、システム制御信号線ＬＳ３、送信器３４、長距離伝送線ＬＬ２、受信器２６の経路で次段の表示装置２７を直接制御可能である。
【手続補正１４】
【補正対象書類名】明細書
【補正対象項目名】００７８
【補正方法】変更
【補正の内容】
【００７８】
このような構成において、分配器４６は差動アナログ映像信号線ＬＦ１から受けた差動アナログ映像信号を、直接にそのまま出力している。または、分配器４６は、ＭＣＵ２０から表示制御バスＢＤ１を通じて補正パラメータがそれぞれ調整された周波数応答特性補正器４８及び遅延補正器４９による補正処理（所定の補正処理）が施されて出力された、差動アナログ映像信号を長距離伝送線ＬＬ２を通じて次段の受信器２６へ送信し、表示装置２７による映像表示を可能にしている。
【手続補正１５】
【補正対象書類名】明細書
【補正対象項目名】００７９
【補正方法】変更
【補正の内容】
【００７９】
なお、実施の形態３の構成の場合は、長距離伝送線ＬＬ１や長距離伝送線ＬＬ２にてシステム制御信号を送る信号線をＲＳ−４８５に代表されるバス接続方式を用いる場合には、リモコン１８の操作に応じてＭＣＵ２０は、ホストコンピュータ３を介さずに、表示制御バスＢＤ１、分配器４６、長距離伝送線ＬＬ２、受信器２６の経路で次段の表示装置２７を直接制御可能である。
【手続補正１６】
【補正対象書類名】明細書
【補正対象項目名】００８０
【補正方法】変更
【補正の内容】
【００８０】
実施の形態３の表示装置３０Ｃは、長距離伝送線ＬＬ１より差動アナログ映像信号を受ける受信器３１、及び長距離伝送線ＬＬ２より出力用差動アナログ映像信号を分配する分配器４６を内蔵したため、他の表示装置２７との接続を長距離伝送線ＬＬ２のみを介して行うことができる。
【手続補正１７】
【補正対象書類名】特許請求の範囲
【補正対象項目名】請求項４
【補正方法】変更
【補正の内容】
【請求項４】
請求項１ないし請求項３のうち、いずれか１項に記載の表示装置であって、
前記表示映像処理回路は、内部に第５の補正パラメータに基づき前記第１の長距離伝送線上での伝播遅延量を補正する、表示映像処理回路用周波数応答補正器を含む、
の表示装置。
【手続補正１８】
【補正対象書類名】図面
【補正対象項目名】図１
【補正方法】変更
【補正の内容】
【図１】
2010187176.tif 000001
【手続補正１９】
【補正対象書類名】図面
【補正対象項目名】図２
【補正方法】変更
【補正の内容】
【図２】
2010187176.tif 000002
【手続補正２０】
【補正対象書類名】図面
【補正対象項目名】図３
【補正方法】変更
【補正の内容】
【図３】
2010187176.tif 000003
【手続補正２１】
【補正対象書類名】図面
【補正対象項目名】図４
【補正方法】変更
【補正の内容】
【図４】
2010187176.tif 000004